(57)【特許請求の範囲】
【請求項１】
無線端末によってシステムタグを表示する方法であって、
前記端末に関するサービス提供システムが前記無線端末に関する少なくとも１つのホームシステムのうちの１つであるかどうかを決定することと、
前記サービス提供システムが前記少なくとも１つのホームシステムのうちの１つである場合は、ホームシステムタグを表示することであって、前記ホームシステムタグは前記システムタグの１つであり、前記少なくとも１つのホームシステムの１つに関連することと、
前記サービス提供システムが前記少なくとも１つのホームシステムのうちの１つでない場合は、前記サービス提供システムに関するグループタグまたは特定のタグが入手可能であるかどうかを決定することであって、前記グループタグ及び前記特定のタグはシステムタグであり、前記入手可能であるかどうかを決定することは、前記サービス提供システムに関するシステム識別（ＳＩＤ）値とローミングインジケータ値を確認することと、前記サービス提供システムに関する前記ＳＩＤ値が、特定のタグが入手可能な一組のＳＩＤ値の中に含まれているかどうかを確認すること、とを具備することと、
前記サービス提供システムのＳＩＤ値に関連する前記入手可能な特定のタグを表示することと、を具備し、
前記入手可能であるかどうかを決定することは、前記サービス提供システムに関するローミングインジケータ値を確認することと、前記サービス提供システムに関する前記ローミングインジケータ値が、グループタグが入手可能な一組のローミングインジケータ値の中に含まれているかどうかを確認することと、をさらに具備し、前記サービス提供システムに関する前記ＳＩＤ値に関連する特定のタグが入手可能でない場合に、前記サービス提供システムに関する前記ローミングインジケータ値に関連する入手可能なグループタグを表示する方法。
【請求項２】
無線通信システムにおいてシステムタグ情報をダウンロードするための方法であって、
端末で第１のメッセージを受け取ることであって、前記第１のメッセージは、前記端末によって保存されているシステムタグに関する現行の構成情報を要求するものであることと、前記システムタグは前記端末のローミング状態に基づいて表示するのに適していることと、前記端末によって保存されるシステムタグは、少なくとも１つのホームシステムタグ及び少なくとも１つのローミングシステムタグを含み、前記システムタグの各々は１つ以上のシステムに関連し、前記少なくとも１つのローミングシステムタグは、少なくとも１つのグループタグ及び少なくとも１つの特定タグを含み、前記少なくとも１つのグループタグの各々は、１個以上のローミングインジケータ値に関連し、前記少なくとも１つの特定タグの各々は、１つ以上のシステム識別（ＳＩＤ）値に関連することと、
前記端末から前記要求された現行の構成情報とともに第２のメッセージを送信することと、
前記端末で前記端末にダウンロードする少なくとも１つのシステムタグに関する第３のメッセージを受け取ること、とを具備する方法。
【請求項３】
前記少なくとも１つのグループタグは、第１のリストに含まれており、前記少なくとも１つの特定タグは第２のリストに含まれている、請求項２に記載の方法。
【請求項４】
前記１つ以上のグループタグが選択された場合に前記１つ以上のグループタグのリスト全体を前記端末にダウンロードし、前記１つ以上の特定タグが選択された場合に前記１つ以上の特定タグのリスト全体を前記端末にダウンロードする、請求項３に記載の方法。
【請求項５】
通信局から無線サービス提供システムに関連する情報を取得する方法であって、
前記無線サービス提供システムに関連する前記情報を含むように構成されたシステムタグを提供することと、
端末から第１のメッセージをシステムタグ構成に関する前記通信局に送信することと、
前記端末から第２のメッセージを、システムタグダウンロードに関する前記通信局に送信することと、
を具備する方法。
【請求項６】
前記メッセージの前記送信は、前記通信局によって送信される要求メッセージに応答して行なわれる請求項５に記載の方法。
【請求項７】
無線サービス提供システムに関連する情報を通信端末に提供する方法であって、
前記無線サービス提供システムに関連する前記情報を含むように構成されているシステムタグを支持する能力について前記通信端末に尋ねることであって、前記システムタグはホームシステムタグまたはローミングシステムタグであることと、
第１の要求メッセージをシステムタグ構成に関する前記通信端末に送信することと、
第２の要求メッセージを、システムタグダウンロードに関する前記通信端末に送信することと、を具備する方法。
【請求項８】
地理上の位置における無線サービス提供システムを確認する方法であって、
前記無線サービス提供システムを含む好ましいローミングリストを提供することと、
前記無線サービス提供システムについての情報を含むシステムタグを提供することであって、前記システムタグはホームシステムタグまたはローミングシステムタグであり、前記ローミングシステムタグはグループタグまたは特定のタグであることと、
前記好ましいローミングリストを参照することによって前記地理上の位置における前記無線サービス提供システムを確認することと、
前記システムタグからの前記無線サービス提供システムについての前記情報に基いて、前記確認されたサービス提供システムについての情報を端末において表示することと、
を具備する方法。
【請求項９】
前記好ましいローミングリストにおいて提供されたローミングインジケータに基いて、前記システムタグから前記無線サービス提供システムのネットワークオペレータの名前を表示することをさらに含む請求項８に記載の方法。
【請求項１０】
通信局から無線サービス提供システムに関連する情報を取得するように構成された装置であって、
前記無線サービス提供システムに関連する前記情報を含むように構成されたシステムタグを提供する手段であって、前記情報は少なくとも１つのテキストまたはグラフィックスを含む手段と、
第１のメッセージをシステムタグ構成に関する前記通信局に送信する手段と、
第２のメッセージを、システムタグダウンロードに関する前記通信局に送信する手段と、
を具備する装置。
【請求項１１】
前記通信局によって送信される要求メッセージに応答する手段をさらに含む請求項１０に記載の装置。
【請求項１２】
無線サービス提供システムに関連する情報を通信端末に提供するように構成された装置であって、
前記無線サービス提供システムに関連する前記情報を含むように構成されているシステムタグを支持する能力について前記通信端末に尋ねる手段であって、前記システムタグはホームシステムタグまたはローミングシステムタグである手段と、
第１の要求メッセージをシステムタグ構成に関する前記通信端末に送信する手段と、
第２の要求メッセージを、システムタグダウンロードに関する前記通信端末に送信する手段と、を具備する装置。
【請求項１３】
地理上の位置における無線サービス提供システムを確認するように構成された装置であって、
前記無線サービス提供システムを含む好ましいローミングリストを提供する手段と、
前記無線サービス提供システムについての情報を含むシステムタグを提供する手段であって、前記システムタグはホームシステムタグまたはローミングシステムタグであり、前記ローミングシステムタグはグループタグまたは特定のタグである手段と、
前記好ましいローミングリストを参照することによって前記地理上の位置における前記無線サービス提供システムを確認する手段と、
前記システムタグからの前記無線サービス提供システムについての前記情報に基いて、前記確認されたサービス提供システムについての情報を端末において表示する手段と、
を具備する装置。
【請求項１４】
前記好ましいローミングリストにおいて提供されたローミングインジケータに基いて、前記システムタグから前記無線サービス提供システムのネットワークオペレータの名前を表示する手段をさらに含む請求項１３に記載の装置。
【発明の詳細な説明】
【技術分野】
【０００１】
本発明は、一般的には、通信に関するものである。本発明は、より具体的には、無線通信システムにおいてシステムタグをダウンロード及び表示するための技術に関するものである。
【背景技術】
【０００２】
無線通信システムは、音声、パケットデータ、及び短いメッセージ等の様々な通信サービスを提供することを目的として広範囲にわたって配備されている。これらのシステムは、利用可能なシステム資源を共有することによって複数のユーザーとの通信を支援することができる多元接続システムである。該多元接続システムの例としては、符号分割多元接続（ＣＤＭＡ）システム、時分割多元接続（ＴＤＭＡ）システム、及び周波数分割多元接続（ＦＤＭＡ）システム等がある。ＣＤＭＡシステムは、ＩＳ−２０００、ＩＳ−９５、Ｗ−ＣＤＭＡ等の１つ以上の規格を実装するように設計することができる。ＴＤＭＡシステムは、グローバル移動体通信システム（ＧＳＭ）等の1つ以上の規格を実装するように設計することができる。
【０００３】
ネットワーク運営者／サービスプロバイダは、加入者に対してサービスを提供するために１つ以上の通信システムを配備している。配備された各々の通信システムは、1カ所の特定地域（例えば都市）を網羅しており、１つ以上のより小規模なネットワークを含むことができる。ＣＤＭＡにおいては、各システムは、１個の特定のシステム識別（ＳＩＤ）コード値によって一意で識別することができ、さらに、各ネットワークも、１個の特定のネットワーク識別（ＮＩＤ）コード値によって一意で識別することができる。このため、ネットワーク運営者によって運営されている各基地局は、自局が属する特定のシステムおよびネットワークのＳＩＤ値及びＮＩＤ値を送信することになる。
【０００４】
加入者によって操作される無線端末は、配備されたシステムのカバレッジエリア全体に所在しているのが一般的である。ＣＤＭＡにおいては、各端末は、該端末がアクセスできる特定のシステム及び該端末がアクセスできないシステム（後者は任意）を識別する優先ローミングリスト（ＰＲＬ）を含めることができる。さらに、該端末は、１つ以上のホームシステムが記載されたリストを維持しており、各ホームシステムは、一意の一対の（ＳＩＤ、ＮＩＤ）によって識別されている。このため、該端末は、自己のホームシステムの対になった（ＳＩＤ、ＮＩＤ）及びサービス提供システムから受け取った一対の（ＳＩＤ、ＮＩＤ）に基づいてホームシステムと通信中であるかどうかを決定することができる。尚、サービス提供システムは、該端末がサービスを入手するシステムである。端末は、サービス提供システムから受け取った一対の（ＳＩＤ、ＮＩＤ）がホームシステムの対になった（ＳＩＤ、ＮＩＤ）のうちのいずれとも一致しない場合にローミング中であるとみなされる。
【０００５】
従来においては、ＣＤＭＡの場合における無線端末は、自己のローミング状態に基づいて１つのローミングインジケータ（一般的はアイコン）及び／又は特定のテキストストリングを表示するための手段を有している。例えば、端末がホームシステムからサービスを入手中である場合には、該当するホームサービスプロバイダの名前を端末画面上に表示することができる。逆に、端末がローミングシステム（即ち、ホームシステムでないシステム）からサービスを入手中である場合には、該ローミングシステムと関係するローミングインジケータ値に従ってローミング状態を示すことができる。このローミングインジケータ値は、該ローミングシステム用に維持されているシステムレコード内に保存すること及び優先ローミングリスト内に含めることができる。従来においては、端末がローミング用に伝達することができる情報の型は制限されており、ＴＩＡ／ＥＩＡ−６８３−Ｂ Ａｎｎｅｘ Ｃによって具体的に定められている。例えば、ローミングインジケータは、ローミングインジケータ／アイコンを端末画面上に表示するように及び／又は特定のテキストストリングを端末画面上に表示するように端末に対して指示することができる。
【０００６】
ＣＤＭＡシステムは広範囲にわたって配備されており、国際的なローミングがますます普及してきている。サービスプロバイダはＦ、ローミング状態に基づいて異なった情報及び／又はより特定の情報を加入者に対して提供することを希望している。例えば、あるサービスプロバイダは、ローミングシステムの名前を端末に提供してそのシステム名を加入者のために端末画面上に表示できるようにすることを希望している。
【発明の開示】
【発明が解決しようとする課題】
【０００７】
従って、端末のローミング状態に基づいて情報をダウンロード及び表示するための技術が必要である。
【課題を解決するための手段】
【０００８】
本出願明細書では、端末のローミング状態に基づいてシステムタグを端末にダウンロードするための技術及びこれらのシステムタグを表示するための技術を示してある。システムタグは、端末画面上に表示することができる一組の英数字及び（おそらく）図形である。システムタグは、ホームシステムタグ及びローミングシステムタグを含むように定義することができ、ローミングシステムタグは、グループタグ及び特定タグを含むように定義することができる。ホームシステムタグは、１つ以上のホームシステムと関係しており、グループタグは、１個以上のローミングインジケータ値と関係しており、さらに、特定タグは、１個以上のＳＩＤ値と関係している。
【０００９】
１台の端末は、一般的には、1つのホームシステムタグが提供されており、さらに、あらゆる数のグループタグ及び特定タグを提供することができる。ホームシステムタグは、端末がホームシステムからサービスを入手時に必ず表示される。ローミングシステムタグは、端末がローミングシステムからサービスを入手するごとに表示されるようにすることができる。いずれの特定のローミングシステムタグが表示されるかは、サービスを提供するローミングシステムに関するローミングインジケータ値及びＳＩＤ値に依存する。1010
システムタグは、オーバーザエア送信を通じて端末にダウンロードすることができる。本出願明細書には、一組のシステムタグメッセージを示してある。これらのシステムタグメッセージは、（１）  端末が現在保存しているシステムタグ及び／又は該システムタグに関する現行構成情報を要求するために、及び（２）  新しいシステムタグを端末にダウンロードするために使用する。
【００１０】
以下において、本発明に関する様々な側面及び実施形態についてさらに詳細に説明する。
【００１１】
本発明の特長、性質、及び利点は、下記の詳細な説明と図面を併用することでさらに明確になる。同一のものについては図面全体に渡って同一の参照符号を付けることとする。
【発明を実施するための最良の形態】
【００１２】
本出願明細書において用いる「典型的な」という表現は、「1つの例、事例、又は実例」を示すことを目的とするものである。このため、本出願明細書において「典型的な」実施形態として説明しているいずれの実施形態も及び「典型的な設計」として説明しているいずれの設計も、その他の実施形態及びその他の設計よりも好ましいもの又は有利なものであるとは必ずしも解釈すべきではない。
【００１３】
図１は、ある１つの無線通信ネットワーク１００の概略図である。ネットワーク１００は、複数のシステムを含み、各システムは、１つ以上のより小規模なネットワークをさらに含む。各々のシステムは、１個のＳＩＤ値によって一意で識別することができ、各々のより小規模なネットワークは、１個のＮＩＤ値によって一意で識別することができる。ネットワーク１００は、一般的には数多くの基地局を含むことができるが、説明を単純化するために図１には２つのシステムに関する２カ所の基地局のみを示してある。基地局１１０ａは、一対の（ＳＩＤ、ＮＩＤ）である（２、３）を有するシステムに関するサービスを提供し、基地局１００ｂは、一対の（ＳＩＤ、ＮＩＤ）である（１、４）を有するシステムに関するサービスを提供する。これらの基地局は、無線端末と通信するために用いられる固定局であり、ノード Ｂ、アクセスポイント、又はその他の呼称で呼ばれることがある。
【００１４】
ネットワーク１００のカバレッジエリア全体に複数の無線端末が所在する可能性がある。各端末は、該端末に関するホームシステムとして指定されている1つ以上のシステムに関する一対以上の（ＳＩＤ、ＮＩＤ）が記載されたリストを含んでいる。説明を単純化するため、図 １には１台の端末１２０のみを示してあり、同端末は、ホームシステムに関する二対の（ＳＩＤ、ＮＩＤ）である（２、６５５３５）及び（３、６５５３５）を有している。ＮＩＤ値である６５５３５は、サービス提供システムがホームシステムであるかどうかを決定する上で（ＮＩＤではなく）ＳＩＤのみを使用することを示すために用いることができる。このため、ＮＩＤ値が６５５３５である場合には、ホームの（ＳＩＤ、ＮＩＤ）内のＳＩＤ値と同じＳＩＤ値を有する全システムは、これらのシステムのNID値がどのような値であるかにかかわらず、非ローミングシステムであるとみなされる。
【００１５】
図１において、端末１２０は、基地局１１０ａと通信時にホームシステムからサービスを入手する。その理由は、基地局１１０ａはＳＩＤ値が２であるシステムに属しており、該端末は、（ホームの（ＳＩＤ、ＮＩＤ）内のＮＩＤ値が６５５３５であるため）ＳＩＤ値が２であるすべてのシステムを非ローミングシステムとみなすためである。該同じ端末１２０は、基地局１１０ｂと通信時にローミングシステムからサービスを入手中であるとみなされる。その理由は、基地局１１０ｂは、該端末に関する２対のホーム（ＳＩＤ、ＮＩＤ）内のいずれのＳＩＤ値とも一致していないＳＩＤ値４を有しているシステムに属しているためである。
【００１６】
ＣＤＭＡにおいては、各端末は、該端末がアクセスできる特定のシステム及び（おそらく）該端末がアクセスできないシステムを識別する優先ローミングリスト（ＰＲＬ）がプログラミングされている。該優先ローミングリストは、ユーザーはアクセスできないが、指定された手順及びネットワークを用いて更新することができる。尚、該優先ローミングリストは、端末内の非揮発性メモリ内に保存される。
【００１７】
図 ２は、優先ローミングスリストに関する構造２００を示した図である。
【００１８】
同ＰＲＬ構造は、システム表２１０及び取得表２５０を含む。システム表は、アクセス可能システム及びアクセス不能システムを記載したリストを含んでおり、さらに、このリストは、地理上の地域（ＧＥＯ）別に構成されている。図 ２に示したように、各地理上の地域ごとに１つのシステム表が提供され、該システム表は、アクセス可能なシステム即ちアクセスが許可されているシステムに関する部分２２０及びアクセス不能なシステム即ちアクセスが禁止されているシステムに関する部分２３０を含む。アクセス可能なシステムは、ホームシステム及び端末によるアクセスが許可されているその他のシステムを含んでいる。
【００１９】
各地理上の地域に関する表は、該表に含まれている各システムごとに１つのレコード（又は１つの行）を含みさらに各システムごとに複数の該当情報フィールド（即ち列）を含むように定義することができる。又、これらのフィールドは、例えば、ＳＩＤ／ＮＩＤ、選択優先フィールド、ローミングインジケータフィールド、及び取得インデックスフィールド等を含むことができる。各レコードに関して、SID/NIDフィールドは、関係するシステムに関する一対の一意の（ＳＩＤ、ＮＩＤ）を含んでいる。選択優先フィールドは、同じ地理上の地域内に存在する許可されたシステムのうちの関係するシステムに関する優先度を示すフィールドであり、該優先度は一般的にはネットワーク運営者によって指定される。ローミングインジケータフィールドは、関係するシステムに関する１個のローミングインジケータ値を含んでいる。取得インデックスフィールドは、関係するシステムを取得するために使用するパラメータ値が入っている取得表内の１つの特定のレコードを指し示すインデックス値を含んでいる。さらに、システム表にはホームシステムも含まれているのが一般的であるが、これらのホームシステムは、一般的にはシステム表とは別個に保存されているホームＳＩＤ／ＮＩＤリストによっても識別されている。
【００２０】
取得表は、各一意のインデックス値に関する１つのレコード（又は行）及びシステムの取得に用いられる様々なパラメータ値に関する複数のフィールド（又は列）を含んでいる。尚、公に入手可能であってさらに本出願明細書において参照することによって本出願明細書に組み入れてあるＴＩＡ／ＥＩＡ−６８３−Ｂ  ＡｎｎｅｘＣでは、優先ローミングリストについてさらに詳細に説明している。
【００２１】
１つの側面において、本出願明細書におけるシステムタグは、端末のローミング状態に基づいて該端末の画面上に表示するために提供される。システムタグは、端末画面上に表示することができる一組の英数字及び（おそらく）図形（例えば、アイコン、絵、等）である。１つの実施形態においては、システムタグは、異なった種類のシステムタグであるとみることができるホームシステムタグ及びローミングシステムタグを含む。１つの実施形態においては、ローミングシステムタグは、異なった種類のローミングシステムタグであるとみることができるグループタグ及び特定タグを含む。さらに、異なったタグの種類及び／又は追加の種類を定義することも可能であり、該定義は、本発明の適用範囲内である。
【００２２】
１つの実施形態においては、１つのホームシステムタグを端末のために提供し、端末がホームシステムからサービスを入手するたびに該ホームシステムタグを表示する。しかしながら、複数のホームシステムタグを端末のために提供することもできる（例えば、対になった各ホーム（ＳＩＤ、ＮＩＤ）に関して１つのホームシステムタグを提供する）。この場合には、端末がサービスを入手中である特定のホームシステムに応じて適切なホームシステムタグを表示することができる。尚、以下の説明では、説明を単純化するため、１つのホームシステムタグのみが端末によって保存されると想定している。
【００２３】
ローミングシステムタグは、端末がローミングシステムからサービスを入手するごとに表示することができる。各グループタグは、単一のローミングインジケータ値又は１つの範囲のローミングインジケータ値と関係している。各特定タグは、単一のＳＩＤ値又は１つの範囲のＳＩＤ値と関係している。端末画面上に表示する特定のローミングシステムタグは、サービスを提供するローミングシステムに関するローミングインジケータ値及びＳＩＤ値に依存する。
【００２４】
システムタグは、端末内の非揮発性メモリ内に保存することができ、このため、電源を切ったときでもこれらのシステムタグが保持される。非揮発性メモリは、非揮発性ＲＡＭ、フラッシュメモリ、ｃｄｍａ２０００によって定義された取外可能ユーザーアイデンティティモジュール（Ｒ−ＵＩＭ）、Ｗ−ＣＤＭＡによって定義されたユニバーサル加入者アイデンティティモジュール（ＵＳＩＭ）、等にすることができる。１つの実施形態においては、システムタグは、後述するように、オーバーザエアメッセージを通じてダウンロード及び更新することができる。
【００２５】
図 ３Ａは、ホーム   ＳＩＤ／ＮＩＤリスト及びホームシステムタグの間の関係を示した図である。この例の場合には、ホームＳＩＤ／ＮＩＤリストは、図 １に示した端末に関する二対の（ＳＩＤ、ＮＩＤ）である（２，６５５３５）及び（３，６５５３５）を含んでいる。ホームシステムタグは、"ホームシステムにようこそ"というテキストストリングを含む。このホームシステムタグは、ホームＳＩＤ／ＮＩＤリストに含まれているシステムのうちのいずれか１つのシステム（本例の場合はＳＩＤ値が２又は３であるシステム）から端末がサービスを受け取るごとに該端末によって表示される。
【００２６】
図 ３Ｂは、システム表内のシステム及びグループタグリストの間の関係を示した図である。図 ２に示したように、システム表内の許可されたシステムは、各々が１個の特定のローミングインジケータ値と関係している。この場合、複数の許可されたシステムを１個の同じローミングインジケータ値と関係づけるようにすることができる。グループタグは、単一のローミングインジケータ値に関して定義することもできるし、１つの範囲のローミングインジケータ値に関して定義することもできる。又、システム表内の許可されているシステムに関するすべてのローミングインジケータ値を網羅することができるように複数のグループタグを定義することができる。各グループタグは、１個又は複数個のローミングインジケータ値、テキスト及び／又は図形のタグ、及び、グループタグに関するローミングインジケータ／アイコンの表示方法を指定するローミング表示指示と関係づけることができる。
【００２７】
図 ３Ｂに示した例において、グループタグリストは、３個のローミングインジケータ値 ０ｘ４０、０ｘ４１、及び０ｘ４２（ここで、０ｘは十六進値）と関係する３つのグループタグを含んでいる。これらの３個のローミングインジケータ値のうちのいずれか１個の値と一致するローミングインジケータ値を有しているローミングシステムから端末がサービスを入手するたびに、該一致する値と関係するグループタグが端末画面上に表示される。例えば、０ｘ０４２のローミングインジケータ値を有するローミングシステムから端末がサービスを入手した場合は、"CDMA 関連C"というタグが表示され、さらに、点滅するローミングインジケータ／アイコンも表示される。一般的には、ローミングインジケータ／アイコンは、表示中のグループタグと関係するローミング表示指示（例えば、ＯＮ、ＯＦＦ、又は点滅）に従って表示される。
【００２８】
図 ３Ｃは、システム表内のシステム及び特定タグリストの間の関係を示した図である。図 ２における場合と同様に、システム表内の許可されたシステムは、各々が１個の特定のＳＩＤ値と関係している。特定タグは、単一のＳＩＤ値に関して定義することもできるし、１つの範囲のＳＩＤ値に関して定義することもできる。次に、各特定タグは、１個又は複数個のＳＩＤ値、テキスト及び／又は図形のタグ、及び、ローミング表示指示と関係づけることになる。図 ３Ｃに示した例においては、特定タグリストは、ＳＩＤ値１００、１０１乃至１０５の範囲のＳＩＤ値、及びＳＩＤ値２００と関係する３つの特定タグを含んでいる。特定タグリストによって網羅されているＳＩＤ値のうちのいずれか１個のＳＩＤ値に一致するＳＩＤ値を有するローミングシステムから端末がサービスを入手するごとに、該一致するＳＩＤ値と関係する特定タグが端末画面上に表示される。例えば、１０３のＳＩＤ値を有するローミングシステムから端末がサービスを入手した場合は、"ネットワークオペレータＸＹＺ"というタグが表示される。さらに、この場合も、ローミングインジケータ／アイコンは、表示中の特定タグと関係するローミング表示指示に従って表示される。
【００２９】
図 ４は、システムタグを端末内に保存するための構造４００の１つの実施形態を示した図である。１つの実施形態においては、ホームシステムタグ、グループタグリスト、及び特定タグリストは、非揮発性メモリの３カ所の異なった部分に又は端末内の３箇所の別々の記憶領域に保存される。グループタグリスト及び特定タグリストは、各々が、（１）  該リストに関する様々なパラメータ用の一組のフィールド及び（２）  該リスト内のタグ用のレコード（１つのタグに関して１つのレコード）を保存するタグ表を含んでいる。さらに、各グループタグレコード及び各特定タグレコードは、関係するタグに関する様々なフィールドをさらに含んでいる。
【００３０】
１つの典型的な設計に関するホームシステムタグのフィールドを表 １に示した。
【表１】
0004472531.tif 000002
【００３１】
Ｔａｇ＿Ｅｎｃｏｄｉｎｇフィールドは、Ｔａｇフィールド内の各文字のために用いられる特定の暗号化の型を示している。Ｔａｇ＿Ｅｎｃｏｄｉｎｇフィールドに記載することが可能な値は、公に入手可能であってさらに本出願明細書において参照することによって本出願明細書に組み入れてある、"Administration of Parameter Value Assignments for cdma2000 Spread Spectrum Standards"（ｃｄｍａ２０００拡散スペクトル規格に関するパラメータ値割当て管理）という題名のＴＳＢ−５８−Ｅの表 ９．１−１において示されている方法で定義することができる。
【００３２】
１つの典型的な設計に関するグループタグリストのフィールドを表 ２に示した。
【表２】
0004472531.tif 000003
【００３３】
表 ２の最初の５つのフィールドは、グループタグリストに関するヘッダーを表している。Ｇｒｏｕｐ＿Ｔａｇ＿Ｌｉｓｔ＿ＩＤは、グループタグリストに関する識別子を含む。この識別子を使用すれば、個々のタグレコードを読み取らなくても端末によって保存されているグループタグリストを確認できるために便利である。Ｄｅｆ＿Ｔａｇ＿Ｅｎｃｏｄｉｎｇフィールドは、Ｇｒｏｕｐ＿Ｔａｇ＿Ｔａｂｌｅに含まれているレコードのうちのいずれのレコードも何も指定してない場合にこれらのレコードに関するタグフィールドに関して使用するデフォルト時の符号化タイプを示す。
【００３４】
グループタグリストは、あらゆる数のグループタグを含むことができ、正確な数は、Ｎｕｍ＿Ｇｒｏｕｐ＿Ｔａｇ＿Ｒｅｃｓフィールドによって示される。各グループタグは、１つのレコードとしてＧｒｏｕｐ＿Ｔａｇ＿Ｔａｂｌｅに保存する。Ｇｒｏｕｐ＿Ｔａｇ＿ＣＲＣフィールドは、グループタグリストの全フィールド（ＣＲＣフィールドを除く）に基づいて計算する巡回冗長性検査（ＣＲＣ）値を含んでいる。このＣＲＣ値は、グループタグリストが正確であるかどうかを決定するために使用することができる。
【００３５】
単一のローミングインジケータ値と関係するグループタグに関する１つの典型的なグループタグレコードのフィールドを表 ３に示した。
【表３】
0004472531.tif 000004
【００３６】
従来は、ローミングインジケータ／アイコンは、ローミングインジケータ値によって指定された方法で端末画面上に表示される。  ローミングインジケータ値及びローミング表示指示の間におけるマッピングは、ＴＳＢ−５８−Ｅによって次のように定義されている。即ち、０ｘ００＝  ＯＮ、０ｘ０１  ＝  ＯＦＦ、０ｘ０２  ＝  点滅である。しかしながら、ローミングシステムタグは、０ｘ４０乃至０ｘ７Ｆの範囲内にあるローミングインジケータ値と関係させることができる。この範囲は、標準外の拡張ローミングインジケータ（ＴＳＢ−５８−Ｅ）の表 ８．１−１を参照）用であり、これらのローミングインジケータ値に関するローミングインジケータ/アイコンについては、ローミング表示指示は定義されていない。このため、Ｒｏａｍ＿Ｄｉｓｐ＿Ｉｎｄフィールドを用いて、各ローミングシステムタグに関するローミングインジケータ／アイコンについての表示上のオプションを示す。Ｒｏａｍ＿Ｄｉｓｐ＿Ｉｎｄフィールドに記載することが可能な値は、表 ３に従って定義することができる。
【００３７】
グループタグレコードがＴａｇ＿Ｅｎｃｏｄｉｎｇフィールドを含む場合は、同フィールドに含まれている符号化タイプを、該レコードのＴａｇフィールドに関して使用する。グループタグレコードがＴａｇ＿Ｅｎｃｏｄｉｎｇフィールドを含まない場合は、（表 ２に示した）グループタグリストのＤｅｆ＿Ｔａｇ＿Ｅｎｃｏｄｉｎｇフィールドに含まれている符号化タイプを使用する。
【００３８】
ある１つの範囲のローミングインジケータ値と関係するグループタグに関する１つの典型的なグループタグレコードのフィールドを表 ４に示した。
【表４】
0004472531.tif 000005
【００３９】
表 ４に示したグループタグは、ある１つの範囲のローミングインジケータ値と関係している。該範囲の上下限は、Ｌｏｗ＿Ｒｏａｍ＿Ｉｎｄフィールド及びＨｉｇｈ＿Ｒｏａｍ＿Ｉｎｄフィールドの値によって定義される。Ｉｎｃｌフィールドは、該範囲内のローミングインジケータ値に関して使用する増分値を含んでいる。グループタグは、該範囲内の値のうちの部分集合のみと関係するように定義することができ、この場合の定義は、１よりも大きい値をＩｎｃｌフィールドにおいて設定することによって行うことができる。例えば、奇数のローミングインジケータ値のみを対象にする場合には、Ｌｏｗ＿Ｒｏａｍ＿Ｉｎｄフィール及びＨｉｇｈ＿Ｒｏａｍ＿Ｉｎｄフィールドを奇数値に設定し、Ｉｎｃｌフィールドを２に設定する。
【００４０】
１つの典型的な設計に関する特定タグリストのフィールドを表 ５に示した。
【表５】
0004472531.tif 000006
【００４１】
表 ５の最初の５つのフィールドは、特定タグリストに関するヘッダーを表している。特定タグリストは、あらゆる数の特定タグを含むことができ、正確な数は、Ｎｕｍ＿Ｓｐｅｃ＿Ｔａｇ＿Ｒｅｃｓフィールドによって示される。各特定タグは、１つのレコードとしてＳｐｅｃ＿Ｔａｇ＿Ｔａｂｌｅに保存する。Ｓｐｅｃ＿Ｔａｇ＿ＣＲＣフィールドは、特定タグリストの全フィールド（ＣＲＣフィールドを除く）に基づいて計算する１個のＣＲＣ値を含んでいる。このＣＲＣ値は、特定タグリストが正確であるかどうかを決定するために使用することができる。
【００４２】
単一のＳＩＤ値と関係する特定タグに関する１つの典型的な特定タグレコードのフィールドを表 ６に示した。
【表６】
0004472531.tif 000007
【００４３】
ある１つの範囲のＳＩＤ値に関係する特定タグに関する１つの典型的な特定タグレコードのフィールドを表 ７に示した。
【表７】
0004472531.tif 000008
【００４４】
表 １乃至７は、ホームシステムタグ、グループタグリスト、グループタグレコード、特定タグリスト、及び特定タグレコードに関する典型的フォーマットを示した表である。これらの項目の各々に関してその他のフォーマットを定義することもでき、該定義は本発明の適用範囲内である。例えば、ホームシステムタグは、ＣＲＣフィールドを含むように定義することができる。
【００４５】
図 ５は、オーバーザエア送信を用いてシステムタグを端末にダウンロードするための１つの典型的な信号の流れ５００を示した図である。第１に、端末は、端末の能力を要求するためのプロトコル能力要求メッセージをオーバーザエアサービス提供機能（ＯＴＡＦ）から受け取る（ステップ５１２）。ＯＴＡＦは、ネットワーク側においてパラメータ管理及びサービスの提供を担当する機能である。端末は、該端末がシステムタグ能力を有しているかどうかを示すプロトコル能力応答メッセージで応答する（ステップ５１４）。尚、システムタグのダウンロードは、端末がシステムタグをサポートしている場合にしか行われない。
【００４６】
次に、端末及びＯＴＡＦの間でＯＴＡＰＡ要求メッセージ及びＯＴＡＰＡ  応答メッセージを交換し、パラメータ管理（この場合はシステムタグのダウンロードに関するパラメータ管理）を開始させる（ステップ５１６及び５１８）。次に、妥当性確認要求メッセージ及び妥当性確認応答メッセージを交換し、ユーザー端末に関するパラメータ管理を行うことができるかどうかを決定する（ステップ５２２及び５２４）。ユーザー端末に関するパラメータ管理を行うことができることが決定された場合は、セキュリティ確保モード要求メッセージ及びセキュリティ確保モード応答メッセージの交換が行われてアプリケーションレベルでの暗号化が可能になる（ステップ５２６及び５２８）。その後は、システムタグのダウンロードに関してセキュリティが確保されたモードで通信が行われることになる。
【００４７】
次に、端末は、該端末によって保存されているシステムタグに関する現行構成情報を要求するシステムタグ構成要求メッセージを受け取る（ステップ５３２）。次に、端末は、該現行タグ構成情報を有するシステムタグ構成応答メッセージで応答する（ステップ５３４）。次に、端末は、システムタグをダウンロードするためのシステムタグダウンロード要求メッセージを受け取る（この場合、ダウンロードするタグは、現行のタグ構成に依存する）（ステップ５３６）。次に、端末は、肯定応答するシステムタグダウンロード応答メッセージで応答し、さらに、タグダウンロード作業の結果を示す（ステップ５３８）。
【００４８】
次に、委託要求メッセージ及び委託応答メッセージを交換し、ダウンロードしたシステムタグを端末内の非揮発性メモリ内に保存する動作を開始させる（ステップ５４２及び５４４）。次に、セキュリティ確保モード要求メッセージ及びセキュリティ確保モード応答メッセージを交換し、端末及びＯＴＡＦの間でのセキュリティを確保した通信を終了させる（ステップ５４６及び５４８）。最後に、ＯＴＡＰＡ要求メッセージ及びＯＴＡＰＡ応答メッセージを交換してシステムタグダウンロード作業を終了させる（ステップ５５２及び５５４）。
【００４９】
図 ５は、システムタグをダウンロードするための１つの典型的な信号流を示した図である。この場合、その他の信号流を定義して使用することも可能であり、該定義及び使用は、本発明の適用範囲内である。以下では、ステップ５３２乃至５３８において用いられる４個のシステムタグメッセージについてさらに詳細に説明する。図 ５に示してあるその他のメッセージについては、ＴＩＡ／ＥＩＡ−６８３−Ｂにおいて詳細に説明されている。
【００５０】
端末によって保存されているシステムタグに関する現行構成情報を要求するためのシステムタグ構成要求メッセージが端末に送られる（ステップ５３２）。１つの典型的な設計に関するシステムタグ構成要求メッセージのフィールドを表 ８に示した。
【表８】
0004472531.tif 000009
【００５１】
次に、データブロックについてさらに詳細に説明する。表 ８乃至１１に関して、０ｘＸＸは、新たなシステムタグメッセージに割り当てるために使用可能な値を示している。
【００５２】
要求された構成情報をＯＴＡＦに返送するためのシステムタグ構成応答メッセージを端末が送る（ステップ５３４）。１つの典型的な設計に関するシステムタグ構成応答メッセージのフィールドを表 ９に示した。
【表９】
0004472531.tif 000010
【００５３】
システムタグを端末にダウンロードするためのシステムタグダウンロード要求メッセージを端末に送る（ステップ５３６）。１つの典型的な設計に関するシステムタグダウンロード要求メッセージのフィールドを表 １０に示した。
【表１０】
0004472531.tif 000011
【００５４】
ダウンロードしたシステムタグについて肯定応答するためのシステムタグダウンロード応答メッセージを端末が送る（ステップ５３８）。１つの典型的な設計に関するシステムタグダウンロード応答メッセージのフィールドを表 １１に示した。
【表１１】
0004472531.tif 000012
【００５５】
上述した４個のシステムタグメッセージに関して、Ｂｌｏｃｋ＿ＩＤフィールドは、該メッセージによって要求中のデータブロックの型又は該メッセージ内において伝送中のデータブロックの型を示している。様々なデータブロックの型を表 １２に示した。
【表１２】
0004472531.tif 000013
【００５６】
システムタグ構成要求メッセージでは、ホームシステムタグ、グループタグリスト、グループタグリストの寸法、特定タグリスト、又は特定タグリストの寸法に関するデータブロックを返送するように端末に対して要求することができる。寸法データブロックは、タグリストに関する情報のみを含み、該タグリストに関するレコードは含まない。端末は、システムタグダウンロード要求メッセージによって、ホームシステムタグ、グループタグリスト、又は特定タグリストに関するデータブロック付きでダウンロードすることができる。以下において説明する１つの実施形態においては、グループタグリスト全体又は特定タグリスト全体が端末にダウンロードされる。もう１つの実施形態においては、グループタグ及び特定タグを個々に端末にダウンロードすることができる。
【００５７】
ホームシステムタグに関する１つの典型的なデータブロック（Ｂｌｏｃｋ＿ＩＤ  ＝  ０ｘ００）は、表 １に示したように定義することができる。同データブロックは、最大の大きさが２６４ビットである。
【００５８】
グループタグリスト寸法に関する１つの典型的なデータブロックは、表 １に示したように定義することができる。同データブロックは、システムタグ構成メッセージに関してＢｌｏｃｋ＿ＩＤ  ＝  ０ｘ０１である場合に使用する。
【表１３】
0004472531.tif 000014
【００５９】
特定タグリスト寸法に関する１つの典型的なデータブロックは、表 １４に示したように定義することができる。同データブロックは、システムタグ構成メッセージに関してＢｌｏｃｋ＿ＩＤ  ＝  ０ｘ０３である場合に使用する。
【表１４】
0004472531.tif 000015
【００６０】
グループタグリスト及び特定タグリストに関する１つの典型的データブロックは、表 １５に示したように定義することができる。同データブロックは、システムタグ構成メッセージに関してＢｌｏｃｋ＿ＩＤ  ＝  ０ｘ０２又は０ｘ０４である場合及びシステムタグダウンロードメッセージに関してＢｌｏｃｋ＿ＩＤ  ＝  ０ｘ０１又は０ｘ０２である場合に使用する。
【表１５】
0004472531.tif 000016
【００６１】
上述した４個のシステムタグメッセージは、オーバーザエア送信前に各々を送信用メッセージ内に封入することができる（例えば、ＩＳ−９５及びＩＳ−２０００内のレイヤ３におけるデータバーストメッセージ）。データバーストメッセージは、最大で２５５バイトのデータを搬送することができ、上記の４個のシステムタグメッセージの大きさを適宜制限することが必要になる。グループタグリスト及び特定タグリストは、各々が、１個のデータバーストメッセージの容量よりも大きくすることができる。その場合には、グループタグリスト全体又は特定タグリスト全体を複数のセグメントに分割し、データバーストメッセージの複数のインスタンスを通じて１個のメッセージにつき１つのセグメントを送ることができる。Ｓｅｇｍｅｎｔ＿Ｓｉｚｅフィールドは、伝送中の現行セグメントの大きさを示す。Ｓｅｇｍｅｎｔ＿Ｏｆｆｓｅｔフィールドは、現行セグメントに関するタグリストの開始からのオフセットを示す。Ｌａｓｔ＿Ｓｅｇｍｅｎｔフィールドは、現行セグメントがタグリストに関する最後のセグメントであるかどうかを示す。ダウンロードは、複数のシステムタグダウンロード要求メッセージ及びデータバーストメッセージの複数のインスタンスを通じて行うことができるが、ダウンロード作業全体が１つのメッセージトランザクションによって行われているとみなされる。
【００６２】
図 ６Ａは、３つの異なったデータブロック型に関して端末が送信するシステムタグ構成応答メッセージのフォーマットを示した図である。このメッセージのＰａｒａｍ＿Ｄａｔａフィールドは、（１）  表 １に示したホームシステムタグに関するデータブロック（Ｂｌｏｃｋ＿ＩＤ＝０ｘ００である場合）、（２）  表 １３に示したグループタグリスト寸法に関するデータブロック（Ｂｌｏｃｋ＿ＩＤ＝０ｘ０１である場合）、又は（３）  表 １４に示した特定タグリスト寸法に関するデータブロック（Ｂｌｏｃｋ＿ＩＤ＝０ｘ０３である場合）を含む。
【００６３】
図 ６Ｂは、２つの異なったデータブロック型に関して端末が送信するシステムタグ構成応答メッセージのフォーマットを示した図である。Ｐａｒａｍ＿Ｄａｔａフィールドは、（１）  表 １５に示したグループタグリストに関するデータブロック（Ｂｌｏｃｋ＿ＩＤ＝０ｘ０２である場合）、又は（２）  同じく表 １５に示した特定タグリストに関するデータブロック（Ｂｌｏｃｋ＿ＩＤ＝０ｘ０４である場合）を含む。図 ６Ｂにおいては、グループタグリストに関する１つのデータブロックを伝送中である。同じく図 ６Ｂにおいて示したように、現行のデータブロックではグループタグリストの一部のみを伝送中であり、この部分は、該データブロックのＳｅｇｍｅｎｔ＿Ｏｆｆｓｅｔフィールド及びＳｅｇｍｅｎｔ＿Ｓｉｚｅフィールドによって識別されている。
【００６４】
図 ６Ｃは、新たなホームシステムタグをダウンロードするために端末に送られたシステムタグダウンロード要求メッセージのフォーマットを示した図である（Ｂｌｏｃｋ＿ＩＤ＝０ｘ００）。このメッセージのＰａｒａｍ＿Ｄａｔａフィールドは、表 １及び図 ６Ａに示したホームシステムタグに関するデータブロックを含む。
【００６５】
図 ６Ｄは、特定タグリストをダウンロードするために端末に送られたシステムタグダウンロード要求メッセージのフォーマットを示した図である（Ｂｌｏｃｋ＿ＩＤ＝０ｘ０２）。このメッセージのＰａｒａｍ＿Ｄａｔａフィールドは、表 １５に示した特定タグリストに関するデータブロックを含む。図 ６Ｄにおいて示したように、現行のデータブロックでは特定タグリストの一部のみを伝送中であり、この部分は、該データブロックのＳｅｇｍｅｎｔ＿Ｏｆｆｓｅｔフィールド及びＳｅｇｍｅｎｔ＿Ｓｉｚｅフィールドによって識別されている。さらに、グループタグリストも同様の方法で端末に端末することができる。
【００６６】
図 ７は、端末のローミング状態に基づいて適切なシステムタグを表示するためのプロセス７００の１つの実施形態を示した流れ図である。第１に、端末は、システムを取得することを試みる（ステップ７１２）。該システムの取得は、一般的には、優先ローミングリスト内の取得表に従って行われる。例えば、優先度が最も高いインデックス（例えば、図 ２の取得表におけるインデックス ０）と関係するパラメータ値をシステムの取得のために最初に使用し、インデックス ０による取得が失敗した場合には次に優先度が高いインデックス（例えばインデックス １）を次に使用し、以下同様である。
【００６７】
システムを取得した場合は、このシステムが属している地理上の地域を識別する。次に、該取得したシステムが有効であるかどうかを決定する（ステップ（７１４）。該決定は、システム表を用いて行うことができる。特に、該取得したシステムは、識別した地理上の地域において許可されているシステムのうちの１つである場合に有効であるとみなされる。該取得したシステムが有効でない場合は、プロセスはステップ７１２に戻り、システム表及びシステム取得表を用いて同じ地理上の地域内の別のシステムを取得する。
【００６８】
取得したシステムが有効であるとステップ７１４においてみなされた場合は、該取得したシステムが識別した地理上の地域に関する最優先システムであるかどうかの決定を行う（ステップ７１６）。該決定は、システム表の選択優先度を用いて行うことができる。取得したシステムが最優先システムでない場合は、端末は、同じ地理上の地域内において優先度がより高いシステムを取得することを試みる（ステップ７１８）。いずれの場合においても、端末が見つけた最も優先度の高いシステムからサービスを入手する（ステップ７２０）。このシステムは、サービス提供システムとも呼ばれる。
【００６９】
次に、サービス提供システムが端末に関するホームシステムであるかどうかを決定する（ステップ７３０）。この決定は、端末に関するホームＳＩＤ／ＮＩＤリスト及びサービス提供システムに関する（ＳＩＤ、ＮＩＤ）の対に基づいて行うことができる。サービス提供システムがホームシステムである場合は、ホームシステムタグを表示し（ステップ７３２）、該プロセスが終了する。
【００７０】
サービス提供システムがホームシステムでない場合は（ステップ７３０）、サービス提供システムのＳＩＤが特定タグリストによって網羅されているＳＩＤ値のうちの１個であるかどうかを決定する（ステップ７４０）。この決定は、サービス提供システムに関するシステムレコード及び端末に関する特定タグリストに基づいて行うことができる。ステップ７４０において、該ＳＩＤ値のうちの１個であると決定した場合は、サービス提供システムに関するＳＩＤ値と関係する特定タグを表示し（ステップ７４２）、該プロセスが終了する。
【００７１】
ステップ７４０において、該ＳＩＤ値のうちの１個でないと決定した場合は、サービス提供システムに関するローミングインジケータ値が、グループタグリストによって網羅されているローミングインジケータ値のうちの１個であるかどうかを決定する（ステップ７５０）。この決定は、サービス提供システムに関するシステムレコード及び端末に関するグループタグリストに基づいて行うことができる。ステップ７５０において、該ローミングインジケータ値のうちの１個であると決定した場合は、サービス提供システムに関するローミングインジケータ値と関係するグループタグを表示し（ステップ７５２）、該プロセスが終了する。
【００７２】
図 ８は、システムタグをサポートするシステムタグセンター１３０及び端末１２０の１つの実施形態を示したブロック図である。システムタグセンター１３０は、様々なネットワークエンティティのうちのいずれのネットワークエンティティも実装することができる。例えば、システムタグセンター１３０は、ＯＴＡＦをサポートするネットワークエンティティによって実装することができる。
【００７３】
システムタグセンター１３０は、ネットワーク側においてシステムタグをサポートするセンターである。システムタグセンター１３０内において、コントローラ８２０は、端末へのシステムタグのダウンロードを指示する。図 ５に示したように、この指示は、システムタグ構成要求メッセージ及びシステムタグダウンロード要求メッセージを端末に送ること及びシステムタグ構成応答メッセージ及びシステムタグダウンロード応答メッセージを受け取ることを含む（それぞれ、ステップ５３２、５３６、５３４、及び５３８）。コントローラ８２０は、これらのシステムタグメッセージの生成及び処理を指示する。メモリ装置８２２は、コントローラ８２０によって用いられるプログラムコード及びデータの保存場所を提供し、メモリ装置８１２は、システムタグ（即ち、ホームシステムタグ、グループタグ、及び特定タグ）の保存場所を提供する。
【００７４】
システムタグをダウンロードする場合は、ダウンロードすべき１つ以上のシステムタグをメモリ装置８１２から検索してメッセージプロセッサ８１４に提供する。メッセージプロセッサ８１４は、これらのシステムタグを適切なシステムタグメッセージ内に封入する。これらのシステムタグメッセージは、送信用メッセージ（例えば、データバーストメッセージ）内にさらに封入することができる。次に、該送信用メッセージを移動通信交換局１４０に提供する。移動通信交換局１４０は、自局の管理下にある１カ所以上の基地局にこれらのメッセージを転送する。各基地局は、受信した送信用メッセージを処理し、順方向リンク変調信号の中に含める。該順方向リンク変調信号は、カバレッジエリア内の端末に対して送信される。
【００７５】
端末１２０において、基地局１１０ｘから送信された変調信号をアンテナ８５２によって受信し、受信機装置（ＲＣＶＲ）８５４に提供する。受信機装置８５４は、受信信号のコンディショニング（即ち、フィルタリング、増幅、及び周波数ダウンコンバート）を行い、該コンディショニングした信号をさらにデジタル化してサンプルを提供する。次に、復調器（Ｄｅｍｏｄ）／デコーダ８５６は、復号化したデータを提供するために、（例えばｃｄｍａ２０００物理レイヤ処理に基づいて）これらのサンプルを復調しさらに該復調したデータを復号化する。復号化したデータは、変調信号に含めて送信された送信用メッセージを含んでいる。これらの送信用メッセージをデコーダ８６５及び／又はコントローラ８６０によってさらに処理し、システムタグセンター１３０によって送られたシステムタグメッセージを回復させる。次に、回復させたシステムタグメッセージ内の該当データ（例えば、ダウンロードしたシステムタグ）を抽出し、取り外し可能モジュール８７０内の非揮発性（ＮＶ）メモリ装置８６２及び／又はメモリ装置８７２に提供する。取り外し可能モジュール８７０は、Ｒ−ＵＩＭ（ｃｄｍａ２０００の場合）、ＵＳＩＭ、又はＳＩＭ（Ｗ−ＣＤＭＡ及びＧＳＭの場合）にすることができる。
【００７６】
逆方向リンクにおいて、端末によって伝送するデータ、システムタグメッセージ（システムタグ情報、構成情報、肯定応答、等を含む）、及び送信用メッセージをエンコーダ／変調器（Ｍｏｄ）８９０に提供する。エンコーダ／変調器８９０は、これらのデータ/メッセージを封入、暗号化、及び変調する。次に、該変調データを送信機装置（ＴＭＴＲ）８９２によってコンディショニングし、基地局に返信するのに適した逆方向リンク変調信号を得る。基地局は、該変調信号を受信及び処理し、端末によって送られたシステムタグメッセージを回復させ、該回復させたメッセージをシステムタグセンター１３０に転送する。システムタグセンター１３０は、該システムタグメッセージをシステムタグダウンロード作業の一部として受け取って処理する。
【００７７】
コントローラ８６０は、端末１２０内部の装置の動作を指示する。例えば、コントローラ８６０は、システムタグメッセージに入れて搬送されるシステムタグのダウンロードを指示し、さらに、ダウンロードしたシステムタグをＮＶメモリ装置８６２及び／又は取り外し可能モジュール８７０に保存するように指示する。コントローラ８６０は、端末のローミング状態に基づいて適切なシステムタグをメモリ装置８６２及び／又は取り外し可能モジュール８７０から検索するようにさらに指示する。次に、検索したシステムタグを画面上に表示するためにディスプレイ装置８８０に提供する。なお、メモリ装置８６２も、コントローラ８６０によって用いられるプログラムコード及びデータの保存場所を提供する。
【００７８】
図 ８は、システムタグセンター１３０及び端末１２０の１つの特定の実施形態を示した図である。その他の設計を構想することも可能であり、これらのその他の設計は、本発明の適用範囲内である。
【００７９】
上記では、説明を明確化するため、システムタグの様々な側面に関する特定の設計について説明している。特に、システムタグ（ホームシステムタグ、グループタグ、及び特定タグ）、タグフォーマット、システムタグメッセージ、及びメッセージフォーマットに関する特定の設計について説明している。これらの特定の設計は様々な形で変更することが可能であってさらに様々な代替設計を使用することが可能であり、該変更及び該使用は、本発明の適用範囲内である。例えば、異なった種類のタグを形成することができ、異なったタグフォーマットを用いることができ、異なったシステムタグメッセージ及び異なったメッセージフォーマットを実装することができ、以下同様である。
【００８０】
同じく説明を明確化するため、ｃｄｍａ２０００を参照してシステムタグについて説明している。一般的には、本出願明細書において説明しているシステムタグは、ＣＤＭＡシステム（例えば、ｃｄｍａ２０００、ＩＳ−９５、及びＷ−ＣＤＭＡシステム）、ＴＤＭＡシステム（例えばＧＳＭシステム）、等の様々な無線通信システムに関して使用することができる。
【００８１】
本出願明細書において説明したシステムタグのダウンロード及び表示に関する技術は、様々な手段で実装することができる。例えば、これらの技術は、ハードウエアに実装すること、ソフトウエアに実装すること、又はその組合せに実装することができる。ハードウエアに実装する場合は、端末又はネットワークが該技術のうちのいずれか１つの技術又はその組合せを実装するために用いる要素は、本出願明細書において説明した機能を果たすように設計された、１つ以上の特定用途向け集積回路(ＡＳＩＣ)、デジタル信号プロセッサ（ＤＰＳ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、その他の電子装置、又はその組合せの中に実装することができる。
【００８２】
ソフトウエアに実装する場合は、システムタグのダウンロード及び表示は、本出願明細書において説明した機能を実行するモジュール（例えば、手順、機能等）を備えている端末及びネットワークによって実装することができる。ソフトウエアコードは、メモリ装置（例えば、図 ８に示したメモリ装置８２２及び／又は８６２）に保存し、プロセッサ（例えば、コントローラ８２０及び／又はコントローラ８６０）によって実行することができる。該メモリ装置は、該プロセッサ内に実装すること又は該プロセッサの外部に実装することができる。該プロセッサの外部に実装する場合は、既知である様々な手段によって該プロセッサに通信可能な形で結合させることができる。
【００８３】
開示した実施形態に関する上記の説明は、当業者が本発明を製造又は使用できるようにすることを目的とするものである。又、本実施形態に対する様々な修正及び変更が加えられた場合に当業者は該修正及び該変更を容易に理解することが可能である。さらに、本出願明細書において定められている一般原則は、本発明の精神及び適用範囲を逸脱しない形でその他の実施形態に対しても適用することができる。以上のように、本発明は、本出願明細書において示されている実施形態に限定することを意図するものではなく、本出願明細書において開示した原則及び斬新な特長に一致する限りにおいて最も広範な適用範囲が認められることになることを意図するものである。
【図面の簡単な説明】
【００８４】
【図１】１つの無線通信ネットワークを示した図である。
【図２】優先ローミングリスト（ＰＲＬ）に関する１つの構造を示したブロック図である。
【図３Ａ】ホームＳＩＤ／ＮＩＤリスト及びホームシステムタグの間の関係を示した図である。
【図３Ｂ】システム表内の諸システムとグループタグの間の関係及び該諸システムと特定タグの間の関係をそれぞれ示した図（その１）である。
【図３Ｃ】システム表内の諸システムとグループタグの間の関係及び該諸システムと特定タグの間の関係をそれぞれ示した図（その２）である。
【図４】システムタグを端末内に保存するための構造を示した図である。
【図５】システムタグをオーバーザエアで端末にダウンロードするための信号の流れを示した図である。
【図６Ａ】異なったデータブロックの型に関して端末が送信するシステムタグダウンロード応答メッセージのフォーマットを示した図（その１）である。
【図６Ｂ】異なったデータブロックの型に関して端末が送信するシステムタグダウンロード応答メッセージのフォーマットを示した図（その２）である。
【図６Ｃ】ホームシステムタグ及びグループタグリスト／特定タグリストをダウンロードするために端末に対して送信されるシステムタグダウンロード要求メッセージのフォーマットを示した図（その１）である。
【図６Ｄ】ホームシステムタグ及びグループタグリスト／特定タグリストをダウンロードするために端末に対して送信されるシステムタグダウンロード要求メッセージのフォーマットを示した図（その２）である。
【図７】端末のローミング状態に基づいて適切なシステムタグを表示するためのプロセスを示した流れ図である。
【図８】システムタグセンター及び端末を示したブロック図である。
【００８５】
である。
【図１】
0004472531.tif 000017
【図２】
0004472531.tif 000018
【図３Ａ】
0004472531.tif 000019
【図３Ｂ】
0004472531.tif 000020
【図３Ｃ】
0004472531.tif 000021
【図４】
0004472531.tif 000022
【図５】
0004472531.tif 000023
【図６Ａ】
0004472531.tif 000024
【図６Ｂ】
0004472531.tif 000025
【図６Ｃ】
0004472531.tif 000026
【図６Ｄ】
0004472531.tif 000027
【図７】
0004472531.tif 000028
【図８】
0004472531.tif 000029